(57)【要約】【課題】簡易な構造で使用の度ごとに缶を持ち上げる必要のない、缶を傾斜状態に保持するスタンドを提供することを課題とする。【解決手段】上面の縁部寄りに開口が設けられる液体を入れた缶を傾斜状態に保持する缶用傾斜状態保持スタンドとして、前記缶の長手方向に沿う、前記開口に最も近接する前記缶の側面上の線が略中心に位置するように、前記缶の側面に前記缶の底面近傍から長手方向に沿って係合して固定する溝を有する缶側面係合部と、前記溝が、前記溝の前記缶の底面近傍に係合する側が高い傾斜状態となるように前記側面係合部材を保持する脚部であって、前記溝が間に存するように対向して設けられる二の板状体により形成され、当該板体の前記溝が高くなる側に存する角部分に面取り又はアールが形成される脚部とから構成する。【選択図】  図１
0003173164.tif 000002
【実用新案登録請求の範囲】
【請求項１】
上面の縁部寄りに開口が設けられる液体を入れた缶を傾斜状態に保持するスタンドであって、
前記缶の長手方向に沿う、前記開口に最も近接する前記缶の側面上の線が略中心に位置するように、前記缶の側面に前記缶の底面近傍から長手方向に沿って係合し固定する溝を有する缶側面係合部と、
前記溝が、前記溝の前記缶の底面近傍に係合する側が高い傾斜状態となるように前記側面係合部材を保持する脚部材であって、前記溝が間に存するように対向して設けられる二の板状体により形成され、当該板体の前記溝が高くなる側に存する角部分に面取り又はアールが形成される脚部材と
を有する缶用傾斜状態保持スタンド。
【考案の詳細な説明】
【技術分野】
【０００１】
本考案は液体の入った１８リットル缶やペール缶などを傾いた状態に保持することで、内部の液体を流出させやすくする缶用のスタンドに関する。
【背景技術】
【０００２】
１８リットル缶やペール缶に入っている塗料などの液体を使用する際、他の小さな容器に移してから使用することが多い。このような場合に、液体の入った缶は重く、人が持って他の容器に移し変えることは大変である。このような問題に対応するものとして、例えば、下記特許文献１〜３には、缶を水平軸回りに回転可能に保持するスタンドに固定し、スタンド内で缶を回転させることで内部の液体を注ぎやすくすることが示されている。また、下記特許文献４〜６には、缶を水平又は傾斜状態に保持するスタンドに缶を保持することで缶内部の液体を注ぎやすくすることが示されている。
【先行技術文献】
【特許文献】
【０００３】
【特許文献１】特開２０１０−２８０４４０号公報
【特許文献２】実用新案登録第３０１５２９１号公報
【特許文献３】実用新案登録第３０００５７７号公報
【特許文献４】実用新案登録第３００３０５４号公報
【特許文献５】特開平８−２３０８８６号公報
【特許文献６】特開２００４−１９７７９５号公報
【考案の概要】
【考案が解決しようとする課題】
【０００４】
しかし、上記特許文献１〜３に示すスタンドのように、重量のある缶を回転可能に保持するためには、回転軸やフレームを頑丈に形成する必要があり、構造が複雑になるとともに製造コストがかり、また、全体の重量が重くなるので缶を装着した状態で運搬することが困難となる。また、上記特許文献４〜６に示すスタンドは構造は簡易であり、安いコストで製造することはできるが、液体を注ぐ度に、スタンド上に缶を持ち上げ、終了後に缶をスタンドから元の状態に戻す必要があり労働的な負担が大きい。
本考案は、このような問題に鑑みて、簡易な構造で使用の度ごとに缶を持ち上げる必要のない、缶を傾斜状態に保持するスタンドを提供することを課題とする。
【課題を解決するための手段】
【０００５】
上記課題を解決するために、本考案は次のような構成を有する。
即ち、本考案は、上面の縁部寄りに開口が設けられる液体を入れた缶を傾斜状態に保持する缶用傾斜状態保持スタンドであり、前記缶の長手方向に沿う、前記開口に最も近接する前記缶の側面上の線が略中心に位置するように、前記缶の側面に前記缶の底面近傍から長手方向に沿って係合して固定する溝を有する缶側面係合部と、前記溝が、前記溝の前記缶の底面近傍に係合する側が高い傾斜状態となるように前記側面係合部材を保持する脚部であって、前記溝が間に存するように対向して設けられる二の板状体により形成され、当該板体の前記溝が高くなる側に存する角部分に面取り又はアールが形成される脚部とを有するものである。
【考案の効果】
【０００６】
上記のような構成を有する本考案は、缶の側面に固定した状態で缶ごと持ち運びすることができ、使用に際しては、脚部の缶底面側の角部がアール又は面取りがされているので、缶を持ち上げることなく、この角部から全体を滑らかに転倒させることができ、容易に缶を傾けた状態に移行させることができる。また、機構的な部分がないので低コストで比較的簡易に製造することができる。
【図面の簡単な説明】
【０００７】
【図１】実施形態に係る缶用傾斜状態保持スタンドの斜視図である。
【図２】（ａ）は、実施形態に係る缶用傾斜状態保持スタンドの正面図であり、（ｂ）は実施形態に係る缶用傾斜状態保持スタンドの側面図である。
【図３】（ａ）は缶用傾斜状態保持スタンドを装着した缶を立てた状態を示す側面図であり、（ｂ）は缶用傾斜状態保持スタンドを装着した缶を倒した状態を示す側面図である。
【図４】変形例に掛かる缶用傾斜状態保持スタンドの正面図である。
【考案を実施するための形態】
【０００８】
以下、本考案の実施の形態について、図面を参照しながら説明する。
図１に実施形態に係る缶用傾斜状態保持スタンドＸの斜視図を示し、図２（ａ）に缶用傾斜状態保持スタンドＸの正面図を示し、図２（ｂ）に缶用傾斜状態保持スタンドＸの側面図を示す。缶用傾斜状態保持スタンドＸは、缶側面係合部１０と脚部２０とから構成され、ここでは一枚の板金を曲げることで形成される。なお、缶用傾斜状態保持スタンドＸは１８リットル缶用のものである。
【０００９】
缶側面係合部１０は、１８リットル缶の角部に嵌る断面Ｖ字状の溝１１と、１８リットル缶の上面及び底面側の縁部に折り曲げることで固定される短冊状の固定舌部１２とを有する。溝１１の長さは１８リットル缶の長さと略一致する。また、固定舌部１２は、溝１１の両端側にそれぞれ２箇所ずつ設けられる。
【００１０】
脚部２０は溝部１１の両側に連なり、溝の突出方向に折れ曲がる、対向する２枚の板体により形成される。図２（ａ）に示すように脚部２０は側面視略長方形状を有し、下面を水平面上の置いた状態で、溝１１が傾斜するように設けられる。そして、傾斜の上方側に存する側縁２０ａは溝の傾斜の水平投影線に対して略直角に形成される。これにより、缶底面を当該側縁２０ａに一致させると缶の底面と側縁２０ａが側面視重なることになる。また、脚部１１の両角部、２０ｂ、２０ｃには比較的大きなアールが形成されている。さらに、脚部１１の下面は折り曲げられ底面部２１を形成している。
【００１１】
次に、以上のような構成を有する缶用傾斜状態保持スタンドＸの使用方法について説明する。使用者は、まず、１８リットル缶の蓋が設けられている位置に最も近い角部を構成する側縁を挟む側面を溝１１に嵌め入れ、缶の両端を溝１１の両端に合わせて、缶上下面の縁部を巻き込むように固定舌部１２を曲げて、缶用傾斜状態保持スタンドＸを１８リットル缶に固定する。固定した状態を図３（ａ）に示す。収納時や運搬字は図３（ａ）に示すように１８リットル缶Ｃを立てた状態とする。
そして、１８リットル缶Ｃから液体を他の容器などに移す場合には、１８リットル缶の蓋と反対側の角部上方を押して全体を傾ける。これにより、まず脚部２０の１８リットル巻の底面側に存するアールが形成された角部２０ｂが地面に当接し、比較的なめらかに全体を転倒させることができる。完全に全体を転倒させると図３（ｂ）のような状態となり、１８リットル缶Ｃを蓋部分を下にして斜めに傾斜した状態で保持できるので、この状態で蓋を開け液体を流出させることができる。なお、蓋の代わりに１８リットル缶Ｃの開口にコックなどを設けておくと、液体の流出操作をよりスムーズに行うことができる。
液体の所定量の流出が完了したら蓋を閉じて、全体を１８リットル缶の蓋と反対側の角部上方側へ引き起こす。この場合も、まず、脚部２０のアールが形成された角部２０ｂが地面に当接することで、なめらかに全体を立てることができる。
このように、本実施形態に係る缶用傾斜状態保持スタンドＸは、缶を持ち上げることなく缶を立てた状態から傾斜状態にして保持することができ、また、板金を曲げて形成するので簡易かつ低コストで製造することができる。
【００１２】
なお、上記実施形態では、１８リットル缶用の缶用傾斜状態保持スタンドＸを示したが、有底筒体の開口が縁部に寄った液体用缶であれば種々のものに適用可能である。図４にペール缶用の缶用傾斜状態保持スタンドＹの正面図を示す。ペール缶Ｐは外周が円形なので、缶側面保持部１０Aの溝１１Aは、２段に折れ曲がることで、円形に沿いやすい断面形状をしている。このように溝の形状は適応する缶に応じて適宜変更可能である。
また、上記実施形態では脚部２０の角部２０ｂをアールによって形成しているが、面取りとしても比較的容易に全体を転倒させ、また、引き起こすことが可能である。
そして、上記実施形態では溝は缶の上端から下端に至る長さのものを用いているが、側面の２箇所を支持できればよいので、底面側と上面側の側面を支持する短い二つの溝で形成してもよい。また、脚部も軽量化のために側面に穴を設けて、フレーム状に形成してもよい。
さらに、上記実施形態では一枚の板金から缶用傾斜状態保持スタンドを形成したが、缶用傾斜状態保持スタンドは、複数の部材を組み合わせて製作することもできる。
【符号の説明】
【００１３】
Ｘ、Ｙ  缶用傾斜状態保持スタンド
１０  側面係合部
１１  溝部
１２  固定舌部
２０  脚部
２１ｂ、２１ｃ  角部
【図１】
0003173164.tif 000003
【図２】
0003173164.tif 000004
【図３】
0003173164.tif 000005
【図４】
0003173164.tif 000006